(57)【特許請求の範囲】
【請求項１】
吸込口が設けられる前側から後側に向けて長い掃除機本体に対して引出可能に設けられるとともに前記掃除機本体内に全長にわたって収容可能なパイプ部材と、
前記掃除機本体に対する前記パイプ部材の引出方向の端部に配置される第１ハンドルと、
前記掃除機本体の長手方向に交差する方向に前記掃除機本体を貫いた、前記長手方向に長いオーバル形状の長孔を設けたことによって、前記長孔を手指の挿入口とする把持部が前記掃除機本体側に形成された第２ハンドルと、
を備え、
前記把持部は、前記パイプ部材を部分的に内包する筒部を形成し、
前記吸込口は、前記掃除機本体の長手方向に延びる筒体からなり、
前側の前記吸込口を左手に後側の前記第１ハンドルを右手に見るとともに前記把持部と前記長孔とのそれぞれを上下に見た前記掃除機本体の側面視で、前記長孔の前記オーバル形状の長径側に位置する中心軸は、前記吸込口の中心軸の後方延長線上に形成されていることを特徴とする電気掃除機。
【請求項２】
請求項１に記載の電気掃除機において、
前記第１ハンドルは、前記パイプ部材を内包し、
前記第１ハンドルの内側には、スイッチ基板が配置され、
前記スイッチ基板は、前記第１ハンドルの内側面に立設されるリブで係止され、
前記スイッチ基板は、前記リブを介して絶縁部材で覆われていることを特徴とする電気掃除機。
【発明の詳細な説明】
【技術分野】
【０００１】
本発明は、電気掃除機に関する。
【背景技術】
【０００２】
一般的に電気掃除機は、電動送風機を有し、吸口から吸い込んだ含塵空気を掃除機本体に導き、この掃除機本体内の集塵装置を通して除塵し、除塵によって清浄された空気を掃除機本体外に排気する構成となっている。
【０００３】
特許文献１には、ハンディ型として使用する掃除機本体の吸込口に延長パイプを取り付け、さらにその先端に吸口を取り付けることでスティック型として使用することができる電気掃除機が記載されている。
【０００４】
非特許文献１には、先端にハンドル部を設けた伸縮パイプを掃除機本体に内蔵し、伸縮パイプを伸縮させることでハンディ型としてもスティック型としても使用可能とした電気掃除機が記載されている。
【先行技術文献】
【特許文献】
【０００５】
【特許文献１】特許第５２２２３７５号公報
【非特許文献】
【０００６】
【非特許文献１】株式会社ドリテックVC-100サイクロン式クリーナー「クリンストーム」[平成27年1月6日検索]インターネット（URL:http://www.dretec.co.jp/products/other/VC-100.html）
【発明の概要】
【発明が解決しようとする課題】
【０００７】
しかしながら、特許文献１に記載の発明では、スティック型として使用する場合、掃除機本体の重心が手元に集中するため手に大きな負担がかかる問題がある。
【０００８】
また、非特許文献１に記載の発明では、ハンディ型として使用する場合、持ち手の位置に対し掃除機本体の重心が前方に位置するため手に大きな負担がかかる問題がある。
【０００９】
本発明は、前記従来の問題を解決するものであり、スティック型として使用する場合もハンディ型として使用する場合も重心バランスが良好で扱い易い電気掃除機を提供することを目的とする。
【課題を解決するための手段】
【００１０】
前記課題を解決した本発明の電気掃除機は、吸込口が設けられる前側から後側に向けて長い掃除機本体に対して引出可能に設けられるとともに前記掃除機本体内に全長にわたって収容可能なパイプ部材と、前記掃除機本体に対する前記パイプ部材の引出方向の端部に配置される第１ハンドルと、前記掃除機本体の長手方向に交差する方向に前記掃除機本体を貫いた、前記長手方向に長いオーバル形状の長孔を設けたことによって、前記長孔を手指の挿入口とする把持部が前記掃除機本体側に形成された第２ハンドルと、を備え、前記把持部は、前記パイプ部材を部分的に内包する筒部を形成し、前記吸込口は、前記掃除機本体の長手方向に延びる筒体からなり、前側の前記吸込口を左手に後側の前記第１ハンドルを右手に見るとともに前記把持部と前記長孔とのそれぞれを上下に見た前記掃除機本体の側面視で、前記長孔の前記オーバル形状の長径側に位置する中心軸は、前記吸込口の中心軸の後方延長線上に形成されていることを特徴とする。
【発明の効果】
【００１１】
本発明によれば、スティック型として使用する場合もハンディ型として使用する場合も重心バランスが良好で扱い易い電気掃除機を提供できる。
【図面の簡単な説明】
【００１２】
【図１】スティック型として使用する電気掃除機の全体斜視図である。
【図２】ハンディ型として使用する電気掃除機の左側面図である。
【図３】吸口体を取り外した図２に示す電気掃除機の平面図である。
【図４】図３のIV−IV断面図である。
【図５】図４の集塵装置周りの部分拡大断面図である。
【図６】図４のVI部の部分拡大断面図である。
【図７】図４のVII部の部分拡大断面図である。
【図８】第１ハンドルの分解斜視図である。
【図９】図８のIX−IX断面を部分的に描いた部分断面図である。
【図１０】（ａ）は、ロックアンロック装置の分解斜視図である。（ｂ）は、（ａ）のＸ−Ｘ断面図である。
【図１１】電気掃除機をハンディ状態で充電台に取り付けたときの斜視図である。
【図１２】電気掃除機をスティック状態で充電台に取り付けたときの斜視図である。
【図１３】電気掃除機をスティック状態で自立させたときの側面図である。
【図１４】ふとん吸口を取付けたハンディ状態の電気掃除機を示す側面図である。
【図１５】回転ブラシを使用したハンディ状態の電気掃除機を示す側面図である。
【図１６】パワーブラシ式吸口体を取り付けたスティック状態の電気掃除機を示す側面図である。
【図１７】応用吸口体を取り付けた使用状態を示す側面図である。
【発明を実施するための形態】
【００１３】
以下、本発明を実施するための形態（以下「実施形態」という）について、適宜図面を参照しながら詳細に説明する。
本実施形態の電気掃除機は、掃除機本体に対して伸縮自在に設けられる伸縮パイプの伸出方向の端部に第１ハンドルが配置され、前記掃除機本体側に前記伸縮パイプを部分的に内包する筒部を把持部とする第２ハンドルが配置されている。
この電気掃除機は、掃除機本体に対して伸縮パイプの長さを伸ばした状態でスティック型として使用することができ、また伸縮パイプの長さを縮めた状態でハンディ型として使用することができる。
【００１４】
図１は、スティック型として使用する電気掃除機１００の全体斜視図である。図２は、ハンディ型として使用する電気掃除機１００の左側面図である。図３は、吸口体３を取り外した図２に示す電気掃除機１００の平面図である。図４は、図３のIV−IV断面図である。なお、図２及び図３における伸縮パイプ２０は、隠れ線（点線）で表している。また、以下の説明における電気掃除機１００の前後上下左右の方向は、図１及び図２の矢印で示す前後上下左右の方向を基準とする。
【００１５】
図１及び図２に示すように、電気掃除機１００は、吸口体３と、掃除機本体１と、伸縮パイプ２０（図１参照）と、第１ハンドル３０と、後に詳しく説明する伸縮パイプ２０のロックアンロック装置５０（図６参照）とを備えている。
【００１６】
≪吸口体≫
吸口体３は、掃除機本体１の前部に開口する吸込口１５（図４参照）に嵌脱自在に取り付けられる。
図１に示す吸口体３は、電動機駆動の回転ブラシを内蔵するパワーブラシ式吸口体３ａであり、図２に示す吸口体３は、隙間ノズル３ｂである。なお、電気掃除機１００の吸口体３は、これらパワーブラシ式吸口体３ａや隙間ノズル３ｂに限定されるものではなく、他の吸口体を使用することもできる。また、電気掃除機１００は、吸口体３を取り付けないで使用することもできる。ちなみに、本実施形態での吸口体３は、掃除機本体１の前端に設けられた吸口体着脱ボタン１６を押し下げることによって掃除機本体１から取り外すことができるようになっている。
【００１７】
なお、図１に示す電気掃除機１００と図２に示す電気掃除機１００とは、伸び出た伸縮パイプ２０の長さが異なり、前記のように吸口体３がパワーブラシ式吸口体３ａと隙間ノズル３ｂとで異なっていること以外は同じ構造となっている。
【００１８】
≪掃除機本体≫
掃除機本体１は、ケース１０内に後記の電動送風機４０（図４参照）、本体基板４４（図４参照）、蓄電池６０（図４参照）などを備えて構成されている。また、掃除機本体１は、ケース１０に対して着脱自在に取り付けられた集塵装置２と、吸口体３から吸い込まれる塵挨を含む空気を集塵装置２に送り込む後記の空気導入管１７（図５参照）とを備えている。
【００１９】
掃除機本体１の外形は、主にケース１０と集塵装置２とがなす外形で略構成されており前後方向に長い形状となっている。また、掃除機本体１のケース１０には、第２ハンドル３３が形成されている。前記の第１ハンドル３０及び第２ハンドル３３については後に詳細に説明する。
【００２０】
＜ケース＞
ケース１０は、図１に示すように、パイプケース部１３と、モータケース部１１と、蓄電池ケース部１２と、導入管ケース部１４とを有している。
【００２１】
パイプケース部１３は、掃除機本体１の上部を前後方向に延びるように形成されている。パイプケース部１３は、後記するように、掃除機本体１の後部寄りで第２ハンドル３３を形成している。パイプケース部１３の外形は、この第２ハンドル３３部分を除いて前後方向に延びる凸条形状となっている。
【００２２】
パイプケース部１３は、図３及び図４に示すように、電気掃除機１００がハンディ型として使用される際には、後記する伸縮パイプ２０（パイプ部材２１）を内側に収納する。なお、電気掃除機１００がスティック型として使用される際には、パイプ部材２１は、図１に示すように、掃除機本体１の後端部からパイプケース部１３の外側に伸び出た状態となる。
【００２３】
本実施形態でのモータケース部１１は、図１及び図２に示すように、パイプケース部１３の下側において掃除機本体１の略後半分の範囲でパイプケース部１３と蓄電池ケース部１２との間に配置されている。モータケース部１１は、図３に示すように、パイプケース部１３よりも左右方向に幅広に形成されている。
【００２４】
本実施形態での蓄電池ケース部１２は、図１及び図２に示すように、掃除機本体１の略後半分の範囲でモータケース部１１の下側に配置されている。蓄電池ケース部１２は、図３に示すように、パイプケース部１３よりも左右方向に幅広に形成され、モータケース部１１よりも左右方向に幅狭に形成されている。
【００２５】
本実施形態での導入管ケース部１４は、後記する空気導入管１７（図５参照）を上側から覆うように配置されている。
なお、図１及び図２中、符号８０は、後に説明する回転ブラシである。
導入管ケース部１４は、図３に示すように、掃除機本体１の略前半分の範囲でパイプケース部１３の右側に張り出すように配置されている。
【００２６】
＜電動送風機、本体基板及び蓄電池＞
図４に示すように、電動送風機４０は、モータケース部１１内に収容されている。具体的には、電動送風機４０は、モータケース部１１内に配置される固定ケース１１ａ内にネジなどによって支持されている。
【００２７】
電動送風機４０は、ファン４１と、このファン４１を回転軸４２周りに駆動する電動機４３と、を備えている。
本実施形態での電動送風機４０は、ファン４１が前方を向くように配置されることで、回転軸４２が伸縮パイプ２０と平行になっている。
電動送風機４０は、集塵装置２側に臨む前部から吸気する。電動送風機４０からの排気は、固定ケース１１ａ内を後方に向けて流れる。
【００２８】
本体基板４４，４４は、掃除機本体１を制御する制御基板であり、電動送風機４０の後方で固定ケース１１ａ内にネジなどによって固定されている。
本実施形態での本体基板４４，４４は、上下に分割して配置され、対向する面に電子部品が実装されている。電動送風機４０から排出された空気のほとんどは、各本体基板４４，４４に対向するように配置された電子部品を冷却するように流れる。そして、固定ケース１１ａの所定の開口部（図示を省略）から流れ出た排気は、モータケース部１１の内外を貫く複数のスリットなどで形成される排気口（図示を省略）を介して機外に排出される。なお、この排気口にはフィルタを配置することもできる。
【００２９】
蓄電池６０は、蓄電池ケース部１２内に収容されている。本実施形態での蓄電池６０は、上下方向に扁平の直方体で形成されている。蓄電池６０は、電気掃除機１００の主電源であり、本体基板４４、電動送風機４０などと電気的に接続されている。
蓄電池６０は、リチウムイオン電池、ニッケル水素電池などの充電可能な二次電池で構成されている。本実施形態での蓄電池６０は、単電池を複数用いた組電池を想定しているが、電気掃除機１００の使用条件等によっては単電池を使用することもできる。
【００３０】
＜ダストケース及び空気導入管＞
集塵装置２は、図１に示すように、パイプケース部１３の下方であって、モータケース部１１の前方に配置されている。また、集塵装置２は、図４に示すように、掃除機本体１の吸込口１５の後方に位置している。
【００３１】
図５は、図４の集塵装置２周りの部分拡大断面図である。図５は、空気導入管１７を表すために作図の便宜上、図４のケース１０、伸縮パイプ２０などを省略し、吸込口１５、空気導入管１７及び集塵装置２のみを表している。
本実施形態での集塵装置２は、サイクロン方式のものであり、略円柱状の外形を有している。
【００３２】
この集塵装置２は、図５に示すように、吸込口１５を介して吸引した空気の流入口１４９が設けられる外筒１２８と、この外筒１２８内に配置される内筒１２９と、この内筒１２９を所定の位置に固定するフィルタケース１３１とを備えている。フィルタケース１３１内には、ＨＥＰＡフィルタ（High Efficiency Particulate Air Filter）などの高効率フィルタが配置されている。外筒１２８と内筒１２９との間には、塵埃分離部１３４と塵埃収容部１３５とが形成されている。図５中、符号１３３は、外筒１２８の前側の開口部を気密に閉じている蓋体である。蓋体１３３は、外筒１２８の外周面に取り付けられたヒンジ１２７によって外筒１２８に取り付けられている。また、蓋体１３３は、所定のロック装置（図示を省略）によって前記開口部に対する閉状態を維持している。ただし、このロック装置の解除操作によって、蓋体１３３はヒンジ１２７周りに回動可能となって外筒１２８の開口部を開くことができる。
【００３３】
このような集塵装置２は、前記したように、ケース１０に対して着脱自在に取り付けられる。この際、図４に示すように、集塵装置２の前部に設けられた被係合部１２６がケース１０側に係合される。また、集塵装置２の後部に設けられた前後方向に移動可能なロックボタン１１９は、後方に移動することでケース１０の所定の位置に設けられた凹部（図示を省略）に嵌り込む。これにより集塵装置２の後部はケース１０側に支持される。
【００３４】
また、ロックボタン１１９を前方に移動させて集塵装置２の後部のケース１０による支持を解くと、ケース１０に対する集塵装置２の後部の離脱が可能となる。そして、集塵装置２の後部を、被係合部１２６を支点として下周りに回動させることによって集塵装置２の前部のケース１０に対する係合も解除可能となる。これにより集塵装置２は、ケース１０からの取り外しを行うことができる。
【００３５】
空気導入管１７は、図５に示すように、吸込口１５と、この吸込口１５と流入口１４９とを繋ぐ連通管１８とを備えている。この空気導入管１７は、吸引した空気を集塵装置２の外筒１２８内に送り込む。
【００３６】
本実施形態での吸込口１５は、前後方向に延びる略円筒体（筒体）で形成されている。この吸込口１５は、前記のように、掃除機本体１の前部で前方向に向けて開口し、吸込口１５には、嵌脱自在に吸口体３（図１及び図２参照）が取り付けられるようになっている。
【００３７】
また、図３に示すように、吸込口１５の中心軸Ａｘ１は、掃除機本体１の平面視で後記する伸縮パイプ２０の中心軸Ａｘ２の前方延長上に配置されている。また、図４に示すように、吸込口１５の中心軸Ａｘ１は、掃除機本体１の側面視で、伸縮パイプ２０の中心軸Ａｘ２の下方でこの中心軸Ａｘ２と平行になるように配置されている。
【００３８】
連通管１８は、図５に示すように、吸込口１５に接続される集塵装置２の前方から集塵装置２の側面に沿って後方に向かって延び、後端部で流入口１４９に接続されている。なお、連通管１８の後端部は、外筒１２８の内周に沿って流れる旋回流２０１を形成するように流入口１４９に接続されている。
【００３９】
本実施形態での集塵装置２は、駆動する電動送風機４０（図４参照）によって例えば吸口体３から塵挨とともに吸込んだ空気流を、空気導入管１７を介して流入口１４９に受け入れる。この空気流は、前記のように外筒１２８の内周に沿って旋回する。塵埃分離部１３４では、旋回流２０１に含まれる塵挨が遠心力によって外筒１２８の遠心方向（外筒１２８の半径方向外側）に移動する。塵埃分離部１３４における外筒１２８の図示しないメッシュ部を通過した塵挨分離後の空気流は、フィルタケース１３１を介して集塵装置２の後端から流れ出ていく。集塵装置２を通過した空気流は、さらに浄化されて電動送風機４０（図４参照）に吸い込まれていく。
【００４０】
一方、塵埃分離部１３４で空気の流れ（旋回流）から分離された塵埃は、塵埃収容部１３５内に搬送される。塵埃収容部１３５では、塵埃がドーナツ状に溜まっていく。
ユーザは、前記のように集塵装置２をケース１０（図４参照）から取り外し、ヒンジ１２７周りに蓋体１３３を回動させて開いた外筒１２８の開口部からドーナツ状に溜まった塵挨を取り出して廃棄することができる。
【００４１】
≪伸縮パイプ≫
伸縮パイプ２０は、前記のように、掃除機本体１の後端部から伸び出る長さが可変となっている（図１及び図２参照）。なお、伸縮パイプ２０は、掃除機本体１から伸び出ている長さが伸縮するものであり、掃除機本体１の前後方向における伸縮パイプ２０の絶対長さ（全体長さ）が伸縮するものではない。ただし、以下の伸縮パイプ２０の用語は、掃除機本体１から伸び出ている部分に限定して適用するものではなく、説明の便宜上、掃除機本体１に内在している部分をも含めた全体の伸縮パイプ２０に適用する。
【００４２】
伸縮パイプ２０は、図２及び図３に示すように、電気掃除機１００がハンディ型として使用される場合には、伸縮パイプ２０の略全長にわたってパイプケース部１３内に収容される。つまり、伸縮パイプ２０の前後方向の長さとパイプケース部１３の前後方向の長さとは略同じに設定されている。
【００４３】
伸縮パイプ２０は、図４に示すように、伸縮パイプ２０の長さ方向（前後方向）の略全体を占めるパイプ部材２１と、パイプ部材２１の両端内側にそれぞれ配置される第１挿入部材２２、及び第２挿入部材２３と、を備えている。
【００４４】
パイプ部材２１の後端部には、後に詳しく説明する第１ハンドル３０が取り付けられている。ユーザは、この第１ハンドル３０を把持することで伸縮パイプ２０（パイプ部材２１）を掃除機本体１から引き出すこととなる。
【００４５】
図６は、図４のVI部の部分拡大断面図である。
図６に示すように、パイプ部材２１の前側には、伸縮パイプ２０の掃除機本体１に対するロックアンロック装置５０が配置されている。
【００４６】
パイプ部材２１の前側上部には、ロックアンロック装置５０をパイプ部材２１の内外に臨ませる長孔２５が形成されている。この長孔２５は、本実施形態でのロックアンロック装置５０のサイズに合わせて前後方向に長く形成されている。ロックアンロック装置５０については後に詳しく説明する。
【００４７】
本実施形態でのパイプ部材２１は、アルミニウム合金などの軽金属からなる金属パイプを想定しているがこれに限定されるものではなく、合成樹脂などの他の材料からなるものを使用することもできる。また、本実施形態でのパイプ部材２１は、断面形状が円形であるものを想定しているが、楕円、多角形などの他の形状とすることもできる。
【００４８】
第１挿入部材２２は、図６に示すように、パイプ部材２１の前側に配置されている。
第１挿入部材２２は、パイプ部材２１に内嵌される筒部２２ａと、ロックアンロック装置５０の基部を支持する支持部２２ｂとを備えている。
【００４９】
筒部２２ａは、パイプ部材２１の内側に収まる外径を有している。筒部２２ａの前端部には、パイプ部材２１の前端に当接するフランジ２２ｃが形成されている。また、筒部２２ａの後端上部には、長孔２５の前縁部に掛る爪部２２ｄが形成されている。第１挿入部材２２は、フランジ２２ｃと爪部２２ｄによってパイプ部材２１に対して一体になるように支持されている。
【００５０】
第１挿入部材２２を構成する支持部２２ｂは、筒部２２ａの後端部から後方に延在する板状部材で構成され、筒部２２ａと一体成形されている。
支持部２２ｂは、後記のロックアンロック装置５０を構成するピン５４を摺動可能に保持するピン保持部２２ｅと、ロックアンロック装置５０を構成する基部５６ａがネジ止めされるネジ受け部２２ｆとを有している。
【００５１】
本実施形態での第１挿入部材２２は、合成樹脂からなるものを想定しているがこれに限定されるものではなく、金属などの他の材料からなるものを使用することもできる。
なお、図６中、符号２３ａは、電気系統を構成するコードである。パイプ部材２１がパイプケース部１３に収容された状態で、このパイプ部材２１の内側を前後方向に延びている。このコード２３ａは、パイプ部材２１内で延びる少なくとも一部が螺旋状に形成されている。この螺旋部は、掃除機本体１からの伸縮パイプ２０の伸び出し量に応じて前後方向に伸縮することができる。このコード２３ａは、前端がパイプケース部１３の前端に設けられた端子（不図示）と電気的に接続され、後端が後記するスイッチ基板３６（図８参照）と電気的に接続されている。
また、コード２３ａは、図６において螺旋状の部分のみを図示しておりその他の部分は省略している。また、他の図面においてはコード２３ａの全ての記載を省略している。
【００５２】
図７は、図４のVII部の部分拡大断面図である。
図７に示すように、第２挿入部材２３は、パイプ部材２１の後部内側に配置されている。
第２挿入部材２３は、後記のロックアンロック装置５０を構成する伝達部材２７の後端が取り付けられる後端取付部２３ａと、後端取付部２３ａから後方に延びて、パイプ部材２１の内側で前後方向に摺動することによって後端取付部２３ａを前後方向に案内する案内部材２３ｂとを備えている。
【００５３】
本実施形態での後端取付部２３ａは、後記する伝達部材２７の後端を引っ掛ける立体構造体で形成されているが、これに限定されるものではない。後端取付部２３ａは、伝達部材２７の後端を係止する構造を有していればよく、伝達部材２７の後端形状のバリエーションに応じてその構造を適宜に変更することができる。また、後端取付部２３ａは、これと別体の伝達部材２７に接合可能なものに限定されるものではなく、予め伝達部材２７に一体に成形された一体成形体とすることもできる。
【００５４】
案内部材２３ｂは、後端取付部２３ａの後端に接続される略円筒体で構成されている。この略円筒体は、パイプ部材２１の後端内側面（内周面）に対して摺接する。
案内部材２３ｂの後端部には、フランジ２３ｃが形成されている。このフランジ２３ｃは、案内部材２３ｂがパイプ部材２１の内側を前進した際に、パイプ部材２１の後端に当接することで、パイプ部材２１の内側における第２挿入部材２３の最大前進長さを所定長さに規定している。
【００５５】
案内部材２３ｂの下壁（下側周壁）には、後記するトリガー３９の突出片３９ｃが嵌入される孔部２３ｄが形成されている。
第２挿入部材２３は、後に詳しく説明するように、このトリガー３９との連係によって、パイプ部材２１の内側を前後方向に移動する。
本実施形態での第２挿入部材２３は、合成樹脂からなるものを想定しているがこれに限定されるものではなく、金属などの他の材料からなるものを使用することもできる。
【００５６】
≪第１ハンドル≫
第１ハンドル３０は、図１及び図２に示すように、伸縮パイプ２０（パイプ部材２１）の後端部に取り付けられている。
第１ハンドル３０は、図２に示すように、伸縮パイプ２０の中心軸Ａｘ２の後方延長線上に規定される軸線Ａｘ３に沿って延びるように形成されるベースグリップ部３０ａと、このベースグリップ部３０ａの軸線Ａｘ３に交差する軸線Ａｘ４に沿って延びる傾斜グリップ部３０ｂと、を備えるピストルグリップで構成されている。さらに詳しくは、ユーザが傾斜グリップ部３０ｂを把持した際に、ユーザの前腕が伸縮パイプ２０の中心軸Ａｘ２の後方延長線に沿って略延びるように、ベースグリップ部３０ａの軸線Ａｘ３と、傾斜グリップ部３０ｂの軸線Ａｘ４との成す角度θが、１００°から１３０°程度に設定されている。
【００５７】
第１ハンドル３０は、図１に示すように、操作部３１と、トリガー３９とを備えている。
操作部３１は、ユーザが第１ハンドル３０を把持した際に、電気掃除機１００の手元操作を可能にしている。操作部３１には、複数の操作ボタン３１ａ（本実施形態では前後方向に並ぶ２つの操作ボタン３１ａ）が配置されている。これらの操作ボタン３１ａは、吸込力の切替え、電動送風機４０のオンオフの切換え、パワーブラシ式吸口体３ａのオンオフの切替えなどに割り当てることができる。
【００５８】
図８は、第１ハンドル３０の分解斜視図である。
図８に示すように、第１ハンドル３０は、ハンドル上半体３５と、スイッチ基板３６と、基板下カバー部材３７と、ハンドル下半体３８と、トリガー３９とが上下方向に組み合わされて形成される。具体的には、図７に示すように、パイプ部材２１を上下方向からそれぞれ挟み付けるようにハンドル上半体３５とハンドル下半体３８とが配置される。また、これらハンドル上半体３５及びハンドル下半体３８同士は、ネジＴで締結されてパイプ部材２１に固定される。
【００５９】
図８に示すように、ハンドル上半体３５は、第１ハンドル３０の略上半分の外形を形成している。ベースグリップ部３０ａ（図２参照）を形成するハンドル上半体３５部分は、掃除機本体１の後部側のパイプケース部１３の外形と近似した外形を有している。したがって、図２に示すように、伸縮パイプ２０の中心軸Ａｘ２の後方延長線上に軸線Ａｘ３が配置されるベースグリップ部３０ａは、ハンディ型の使用態様の電気掃除機１００において、パイプケース部１３からベースグリップ部３０ａへと外形が連なった印象を与える意匠性を有している。
【００６０】
図９は、図８のIX−IX断面を部分的に描いた部分断面図である。図９には、仮想線（二点鎖線）でスイッチ基板３６と基板下カバー部材３７とを描いている。
図９に示すように、ハンドル上半体３５の下面側には、前後方向（図９の紙面に対して垂直方向）に延びる一対のリブ３５ａが形成されている。
【００６１】
一対のリブ３５ａは、スイッチ基板３６の左右幅と略同じ距離をおいて対向している。
また、リブ３５ａの下端には、ハンドル上半体３５の中央側に向けて屈曲する爪部３５ｂが形成されている。爪部３５ｂは、図示を省略するが、前後方向に延びるそれぞれのリブ３５ａの下端辺に沿って複数形成されている。本実施形態での爪部３５ｂは、各リブ３５ａにそれぞれ２つ形成されている。
【００６２】
これらの爪部３５ｂは、一対のリブ３５ａ間に配置されるスイッチ基板３６の左右両縁に係止することで、操作部３１に対応するように、スイッチ基板３６をハンドル上半体３５の下面側の所定位置に支持している。
図９中、符号３１は、操作部であり、符号３１ａは、操作ボタンであり、符号３７ａは、基板下カバー部材３７の台座部であり、符号３７ｂは、基板下カバー部材３７の板枠部である。
【００６３】
基板下カバー部材３７は、図８に示すように、パイプ部材２１の曲面に合わせた曲面を有する台座部３７ａと、スイッチ基板３６を三方から囲むように台座部３７ａに形成される板枠部３７ｂと、を備えている。
【００６４】
本実施形態での基板下カバー部材３７は、電気絶縁性を有する合成樹脂で形成されている。この基板下カバー部材３７は、本実施形態での金属製のパイプ部材２１上で、スイッチ基板３６を下方から覆うように配置されている。また、板枠部３７ｂは、図９に示すように、ハンドル上半体３５の一対のリブ３５ａを外側から挟持するように配置される。つまり、スイッチ基板３６は、リブ３５ａを介して電気絶縁性の板枠部３７ｂで覆われている。
【００６５】
図８に示すように、ハンドル下半体３８は、第１ハンドル３０の略下半分の外形を形成している。ベースグリップ部３０ａ（図２参照）を形成するハンドル下半体３８部分には、ハンドル下半体３８の下面を上下方向に貫く３つのスリット３８ａ，３８ｂ，３８ｃが形成されている。
【００６６】
これらのスリット３８ａ，３８ｂ，３８ｃは、前後方向に延びるように形成されている。また、スリット３８ａ，３８ｂ，３８ｃは、ハンドル下半体３８の左右幅方向に３列並ぶように形成されている。
【００６７】
これらのスリット３８ａ，３８ｂ，３８ｃのうち、スリット３８ａは、他のスリット３８ｂ，３８ｃよりもやや前方にシフトしてハンドル下半体３８の左右幅方向の中央に形成されている。また、スリット３８ｂ，３８ｃは、スリット３８ａよりもやや後方にシフトし、スリット３８ａの後部を部分的に挟む位置に形成されている。
なお、図７に示すように、パイプ部材２１の下側周壁において前記のスリット３８ａと対応する位置には、スリット３８ａと上下に互い重なり合うようにスリット２１ａが形成されている。このパイプ部材２１のスリット２１ａについては後に説明する。
【００６８】
図７に示すように、スリット３８ａには、後記するトリガー３９の突出片３９ｃが挿通されている。また、図８に示すスリット３８ｂ，３８ｃには、後記するトリガー３９の案内リブ３９ｄ，３９ｅがそれぞれ挿通されることとなる。
【００６９】
また、図８中、符号３８ｄ，３８ｄは、ネジＴ（図７参照）が挿通されるボス部であり、ハンドル上半体３５の下面には、図７に示すようにこれらボス部３８ｄ，３８ｄに対応するようにボス部３５ｄ，３５ｄが形成されている。図８中、符号２１ｂ，２１ｂは、パイプ部材２１に形成されたボス部３５ｄ，３５ｄ（図７参照）の挿通孔である。なお、図８に図示しないが、パイプ部材２１の下側周壁には、ボス部３８ｄ，３８ｄの挿通孔が形成されている。
【００７０】
トリガー３９は、図８に示すように、スライダ３９ａと、指掛け部３９ｂとを備えている。
スライダ３９ａは、ハンドル下半体３８の下面を前後方向にスライドする部材であり、ハンドル下半体３８の下面に対して摺接する略板状体で形成されている。このスライダ３９ａの上面には、ハンドル下半体３８のスリット３８ａ，３８ｂ，３８ｃに対応するように、前記の突出片３９ｃと、一対の案内リブ３９ｄ，３９ｅとが立設されている。
【００７１】
突出片３９ｃは、図７に示すように、ハンドル下半体３８のスリット３８ａを上下方向に貫通している。また、突出片３９ｃは、パイプ部材２１のスリット２１ａを上下方向に貫通している。そして、スリット２１ａから上方に突出する突出片３９ｃの先端部は、パイプ部材２１の内側に配置される案内部材２３ｂに係合している。
【００７２】
案内リブ３９ｄ，３９ｅのそれぞれは、前記のようにスリット３８ｂ，３８ｃに挿通される。案内リブ３９ｄ，３９ｅは、スリット３８ｂ，３８ｃ内を前後方向に摺動する。これによりユーザが指掛け部３９ｂに手指を掛けて引いた際には、スライダ３９ａは、スリット３８ｂ，３８ｃの延びる前後方向に沿うように案内されて、がたつくことなく後方にスムーズに移動する。
【００７３】
なお、図示は省略するが、案内リブ３９ｄ，３９ｅの側面には、それぞれ前後方向に延びる溝部が形成されており、この溝部には、スリット３８ｂ，３８ｃの近傍でハンドル下半体３８の下側内周面に設けられた前後方向に延びるレール部材が嵌め込まれている。これによりトリガー３９は、ハンドル下半体３８から下方に脱離することなく前後方向に移動自在となっている。
このような第１ハンドル３０を構成するトリガー３９は、後記するようにロックアンロック装置５０の一部をも構成している。
【００７４】
≪第２ハンドル≫
図３及び図４に示すように、第２ハンドル３３は、掃除機本体１の後側上部に形成されている。
第２ハンドル３３は、掃除機本体１の前後方向に延在するパイプケース部１３のうち、掃除機本体１の後部で伸縮パイプ２０（パイプ部材２１）を部分的に内包する筒部２２ａを把持部としている。
言い換えれば第２ハンドル３３は、図２に示すように、モータケース部１１とパイプケース部１３とを部分的に上下に分かつように掃除機本体１を左右方向（図２の紙面に対して垂直方向）に貫くユーザの手指の挿入口３３ａが形成されて構成されている。
【００７５】
本実施形態で挿入口３３ａは、側面視で前後方向に長い長孔となっている。さらに具体的には、この長孔は、前後両端部に同径の円弧を備え、円弧に連なる上下二辺が互いに平行となったトラック形状（オーバル形状）となっている。つまり、この長孔は、上下二辺に対する円弧が正接円弧となっている。これにより挿入口３３ａに対するユーザの手指の収まりが良好となる。
【００７６】
また、側面視での長孔の前後方向に延びる中心軸線Ａｘ５は、掃除機本体１の吸込口１５の中心軸線Ａｘ１の後方延長線上に位置している。つまり、長孔の上下二辺のそれぞれは、吸込口１５の中心軸線Ａｘ１に対して平行となるように形成されている。
【００７７】
このような第２ハンドル３３は、図示は省略するが、筒部２２ａに対向するモータケース部１１の上面Ｓ１（図１参照）を、上側に凹となるように形成することもできる。これにより掃除機本体１の上下高さを増加させることなく、挿入口３３ａを大きく確保することができる。
【００７８】
また、本実施形態での第２ハンドル３３は、図４に示すように、電動送風機４０の固定ケース１１ａ上に形成されている。具体的には、第２ハンドル３３の把持部としての筒部２２ａの下方に蓄電池６０の少なくとも一部、電動送風機４０の少なくとも一部、及び本体基板４４の少なくとも一部が位置するように、挿入口３３ａの前後方向の位置が設定されている。これにより、図２に示すように、ユーザが把持する筒部２２ａの下方付近に電気掃除機１００の重心Ｇａが位置する。特に吸口体３を下方に傾けた際には、筒部２２ａの真下に重心Ｇａが位置する。よって、ユーザの手指に掛る荷重の負担が軽減される。
【００７９】
≪ロックアンロック装置≫
ロックアンロック装置５０（図６参照）は、パイプケース部１３（図６参照）内を前後に移動する伸縮パイプ２０（図６参照）を所定の位置にロックし又はアンロックするものである。これにより掃除機本体１（図２参照）から後方に伸び出す伸縮パイプ２０（図２参照）の長さが調節される。
【００８０】
このロックアンロック装置５０は、伸縮パイプ２０とともにパイプケース部１３内を前後に移動し、前後方向の所定の位置に係止される被係止部５１（図６参照）と、この被係止部５１を所定の位置に係止する係止部５２（図６参照）と、被係止部５１を係止部５２に係止させ、又はこの係止を解かせる作動部５３（図６及び図７参照）と、を備えている。
【００８１】
＜被係止部＞
図６に示すように、被係止部５１は、前記の第１挿入部材２２（支持部２２ｂ）に取り付けられることで、前記のように伸縮パイプ２０とともにパイプケース部１３内を前後に移動する。この被係止部５１は、パイプ部材２１の長孔２５を介してパイプ部材２１の内外に臨んでいる。
【００８２】
本実施形態に係る電気掃除機１００における被係止部５１は、パイプ部材２１の先端側のみに形成されている。
被係止部５１は、上下移動するピン５４と、ピン５４を下方に付勢するばね５５と、後記する作動部５３の引張動作を受けてばね５５の付勢力に抗してピン５４を引き上げるピン引上げ機構５６と、を備えて構成されている。
【００８３】
ピン５４は、略円柱形状を呈しており、ピン５４の中心軸が上下方向に向くようにピン引上げ機構５６に支持されている。
【００８４】
ピン引上げ機構５６は、伸縮パイプ２０の第１挿入部材２２（支持部２２ｂ）にネジＴで取り付けられる基部５６ａと、ピン５４を支持する上下移動自在な可動部５６ｂと、後記する作動部５３による引張力を受けて後方に移動することで可動部５６ｂを上方に移動させるスライダ部５６ｃと、を備えて構成されている。
【００８５】
なお、ばね５５の上下端のそれぞれは、基部５６ａと可動部５６ｂとに支持され、ばね５５は、可動部５６ｂを基部５６ａから離反させるように付勢している。これによってピン５４は、下方に向けて付勢される。
【００８６】
図１０（ａ）は、ロックアンロック装置５０の分解斜視図である。図１０（ａ）は、作図の便宜上、掃除機本体１から分離した伸縮パイプ２０にロックアンロック装置５０が取り付けられる様子を示している。図１０（ｂ）は、図１０（ａ）のＸ−Ｘ断面図である。
図１０（ａ）に示すように、基部５６ａは、可動部５６ｂの左右両側部と後部とを覆う壁板を有する枠体で構成されている。
【００８７】
図１０（ａ）に示すように、可動部５６ｂは、前後方向に長い枠体で形成され、前後のにはそれぞれテーパ面Ｓ２，Ｓ２が形成されている。このテーパ面Ｓ２，Ｓ２は、前方から後方に向けて下り勾配となるように傾斜している。
この可動部５６ｂの内側には、前記のピン５４及びばね５５が配置されるとともに、可動部５６ｂは、基部５６ａを構成する枠体の内側に基部５６ａの下方から組み付けられる。
【００８８】
図１０（ａ）に示すように、スライダ部５６ｃは、基部５６ａの上側に配置される略板体からなるベース部５６ｄと、このベース部５６ｄから下方に突出する前後一対の可動部当接突起５６ｅ，５６ｅと、を備えている。可動部当接突起５６ｅ，５６ｅには、図６に示すように、可動部５６ｂのテーパ面Ｓ２，Ｓ２にそれぞれ当接する湾曲部５６ｆ，５６ｆが形成されている。
スライダ部５６ｃ（図１０（ａ）参照）は、基部５６ａ（図１０（ａ）参照）に対して前後移動可能に基部５６ａの上側に組み付けられる。
【００８９】
図１０（ａ）に示すように、スライダ部５６ｃの後部には、後記する伝達部材２７の前端が取り付けられる前端取付部５６ｇが形成されている。本実施形態での前端取付部５６ｇは、伝達部材２７の前端が差し込まれる孔で構成されている。この前端取付部５６ｇは、伝達部材２７の前端を係止する構造を有していればよく、伝達部材２７の前端形状のバリエーションに応じてその構造を適宜に変更することができる。また、前端取付部５６ｇは、これと別体の伝達部材２７に接合可能なものに限定されるものではなく、予め伝達部材２７に一体に成形された一体成形体とすることもできる。
【００９０】
このようなピン引上げ機構５６は、図１０（ａ）に示すように、その下側部分がパイプ部材２１の長孔２５を介してパイプ部材２１内に収められる。
なお、図１０（ａ）中、符号５６はピン引上げ機構を示している。
【００９１】
そして、図６に示すように、基部５６ａが第１挿入部材２２の支持部２２ｂを構成するネジ受け部２２ｆにネジＴで締結されるとともに、ピン５４がピン保持部２２ｅに挿通される。
【００９２】
また、ピン引上げ機構５６は、図６に示すように、パイプ部材２１とともにパイプケース部１３内に収められる。
なお、図６中、符号５６ｈは、スライダ部５６ｃの上面で前後方向に延びるリブである。このリブ５６ｈは、パイプケース部１３の上側内周面の前後方向に延びるように形成された溝部（図示を省略）に嵌り込むようになっている。これによりピン引上げ機構５６がパイプ部材２１とともにパイプケース部１３内を前後方向に移動する際にがたつきがより確実に防止される。
【００９３】
また、図６中、符号２１ｃは、ピン５４の下方でパイプ部材２１に形成されたピン挿通孔である。符号３４ａは、次に説明する係止部５２を構成するロックプレート３４に形成されたピン嵌入孔である。
【００９４】
＜係止部＞
係止部５２は、図６に示すように、パイプ部材２１の下方に配置されるロックプレート３４を備えて構成されている。このロックプレート３４は、掃除機本体１を構成するケース１０に固定されている。
【００９５】
ロックプレート３４は、前後方向に細長い板体で形成されている。ロックプレート３４には、前後方向にそって所定の間隔で複数の前記ピン嵌入孔３４ａ（穴）が形成されている。本実施形態では４つのピン嵌入孔３４ａが形成されている。
このピン嵌入孔３４ａに被係止部５１を構成するピン５４が嵌り込むことによって、ロックアンロック装置５０は、伸縮パイプ２０のロック状態を維持することとなる。
【００９６】
図１０（ｂ）に示すように、ロックプレート３４の上面に形成されるピン嵌入孔３４ａの内径Ｄ１は、ピン５４の外径Ｄ３よりも大きく、ロックプレート３４の下面に形成されるピン嵌入孔３４ａの内径Ｄ２は、ピン５４の外径Ｄ３と同径になっている。
つまり、このピン嵌入孔３４ａは、ピン５４の受け入れ側開口部であるロックプレート３４の上面側に、呼込み径を広げるＲ形状が施されている。
また、ピン５４の受け入れ側開口部には、このＲ形状に代えて面取り形状を施すこともできる。
【００９７】
＜作動部＞
作動部５３は、図７に示すように、トリガー３９と、第２挿入部材２３と、伝達部材２７と、を備えている。なお、トリガー３９は、前記の第１ハンドル３０をも構成し、第２挿入部材２３は、前記の伸縮パイプ２０をも構成している。
【００９８】
この作動部５３は、被係止部５１（ピン引上げ機構５６）のスライダ部５６ｃに引張力を加えるものである。トリガー３９と第２挿入部材２３については、前記のとおりであり、詳細な説明は省略する。
本実施形態での伝達部材２７は、図４に示すように、前後方向に長いロッド部材で構成されている。この伝達部材２７としては、引張力をスライダ部５６ｃに伝達できるものであれば、多少の撓み性を有するワイヤなどを使用することもできる。
【００９９】
＜ロックアンロック装置の動作＞
次に、図２に示すハンディ型から図１に示すスティック型に電気掃除機１００の使用態様を変更する際のロックアンロック装置５０の動作について説明する。
図２に示すハンディ型の使用態様では、掃除機本体１から後方に伸び出す伸縮パイプ２０の長さは縮められて、伸縮パイプ２０は略全長にわたってパイプケース部１３内に収容されている。
【０１００】
この際、主に図６を参照して説明すると、ロックアンロック装置５０は、図示は省略するが、ロック状態にあってはピン５４の先端がパイプ部材２１のピン挿通孔２１ｃを介してロックプレート３４のピン嵌入孔３４ａに嵌り込んでいる。また、ピン５４は、ばね５５によって下方に付勢されており、ピン嵌入孔３４ａに嵌り込んだピン５４のロック状態は維持される。
これによりパイプケース部１３内における伸縮パイプ２０の前後方向の移動が禁止されることで掃除機本体１に対する伸縮パイプ２０の伸び出し長さは一定長さに固定される。
【０１０１】
次に、図７を主に参照して、ユーザの手指が、トリガー３９を後方に引くと、トリガー３９の突出片３９ｃの先端部は、係合する第２挿入部材２３の案内部材２３ｂを後方に移動させる。ちなみに、ユーザはばね５５（図６参照）の付勢力に抗する力でトリガー３９を後方に引くことになる。
これにより、案内部材２３ｂの後端と接続される第２挿入部材２３の後端取付部２３ａは、伝達部材２７を後方に引く。伝達部材２７の先端と接続される被係止部５１（スライダ部５６ｃ）の先端取付部５６ｇ（図１０（ａ）参照）は、この引張力を受けて後方に移動する。
【０１０２】
後方に移動するスライダ部５６ｃの湾曲部５６ｆ（図６参照）は、可動部５６ｂ（図６参照）のテーパ面Ｓ２（図６参照）を後方に押しやる。これにより湾曲部５６ｆは、テーパ面Ｓ２の下方に位置するようにテーパ面Ｓ２上を摺動する。ピン５４を支持する可動部５６ｂは、上方に移動する。ピン５４は、図６に示すように、ロックプレート３４のピン嵌入孔３４ａから脱することで前記のロック状態は解かれる。伸縮パイプ２０は、パイプケース部１３内で前後方向に移動可能となる。
【０１０３】
次に、図７を主に参照して、ユーザは、トリガー３９を引いた状態で第１ハンドル３０を把持してパイプケース部１３内で前後方向に移動可能となった伸縮パイプ２０を掃除機本体１から引き出す。そして、ユーザは、引き出された伸縮パイプ２０の長さが、スティック型としての使用に好適な伸縮パイプ２０に近づいたときに、トリガー３９を開放するとともに、さらに伸縮パイプ２０を引き出していく。
【０１０４】
このとき図６に示すピン５４は、ばね５５によって下方に付勢されつつ、パイプケース部１３内を後方に移動する。そして、ピン５４がロックプレート３４のピン嵌入孔３４ａに到達すると、ばね５５の付勢力によってピン５４は、ピン嵌入孔３４ａに嵌り込む。これにより伸縮パイプ２０は、図１に示すスティック型での使用態様の長さに固定される。
【０１０５】
≪電気掃除機の使用態様≫
次に、本実施形態に係る電気掃除機１００の具体的な使用態様について説明する。なお、図１１から図１８において、前記の図１から図１０に示す構成要素と同じ構成要素については同じ符号を付して詳細な説明は省略する。
【０１０６】
図１１は、電気掃除機１００をハンディ状態で充電台７０に取り付けたときの斜視図である。図１２は、電気掃除機１００をスティック状態で充電台７０に取り付けたときの斜視図である。図１３は、電気掃除機１００をスティック状態で自立させたときの側面図である。図１４は、ふとん吸口６を取付けたハンディ状態の電気掃除機１００を示す側面図である。図１５は、回転ブラシ８０を使用したハンディ状態の電気掃除機１００を示す側面図である。図１６は、パワーブラシ式吸口体３ａを取り付けたスティック状態の電気掃除機を示す側面図である。図１７は、別の吸口体（応用吸口体５）を取り付けた使用状態を示す側面図である。
【０１０７】
図１１に示すように、ハンディ状態の電気掃除機１００が取り付けられる充電台７０は、ベース部７１とスタンド部７２と充電台端子部（図示を省略）とを含んで構成されている。
ベース部７１は、吸口体３（図１参照）が載置される略矩形状の載置面７１ａを有している。また、ベース部７１には、応用吸口体５（図１７参照）などを着脱自在に取り付ける応用吸口体固定突起７１ｃが設けられている。応用吸口体５を付属した場合、応用吸口体固定突起７１ｃに差し込むことによって保管することができる。
【０１０８】
スタンド部７２は、ベース部７１の後端部から鉛直方向（上下方向）上向きに延在している。また、スタンド部７２は、上下方向の中央より上部が下部よりも前後方向に厚みを持って形成されている。スタンド部７２は、ベース部７１に対し着脱自在となっている。
【０１０９】
スタンド部７２の上面７２ａには、前記の充電台端子部が設けられ、後記する掃除機本体１の蓄電池ケース部１２に設けた本体端子部（図示を省略）と導通することにより、蓄電池６０へ充電ができるようになっている。
【０１１０】
また、電気掃除機１００は、図１２に示すように、スティック状態でも充電することができる。このとき、吸口体３を装着して電気掃除機１００をセットすることで、吸口体３の下面がベース部７１の載置面７１ａに支持されるので、電気掃除機１００をより安定して支持することができる。
また、充電台７０は、蓄電池６０の充電を行わない場合でも、掃除機本体１を収納する際のスタンドとして使用することができる。
【０１１１】
次に、電気掃除機１００の自立構造について説明する。
図１３に示すように、前記したように、吸口体３は、吸口ケース３ａと、吸口継手３ｂと、を備えて構成されている。
【０１１２】
吸口継手３ｂは、吸口ケース３ａに対して前後方向に回動自在に連結される第１接続管３ｇと、この第１接続管３ｇに対して左右方向に回動自在に連結される第２接続管３ｈと、を備えている。
【０１１３】
第１接続管３ｇは、床面（清掃面）に対して略平行な状態から略垂直な状態まで（上下方向に）回動可能となるように構成されている。
第２接続管３ｈは、第１接続管３ｇに対して左右方向に回動可能となるように構成されている。これにより、例えば、掃除機本体１を床面に対して略垂直にした状態から、掃除機本体１を床面に略平行な状態に向けて倒すことができる。
【０１１４】
また、第２接続管３ｈには、蓄電池６０から給電が行われる給電端子（図示を省略）が設けられている。また、第２接続管３ｈには、掃除機本体１の吸込口１５と連結される連結管（図示を省略）が形成されている。
【０１１５】
また、第２接続管３ｈの先端部には、突起部３ｍが形成されている。また、吸口ケース３ａの上面には、突起部３ｍの先端部が当接する。また、吸口継手３ｂが前方に向けて立ち上がったときに、突起部３ｍの先端が吸口ケース３ａの上面に突き当たることで、吸口継手３ｂの前方への回動動作が規制される。そして、この電気掃除機１００では、吸口継手３ｂの回動が規制されたときに、吸口継手３ｂ（第１接続管３ｇ）の軸を通る鉛直線上に掃除機本体１の重心Ｇａが位置している。これにより、電気掃除機１００を自立させることができる。
【０１１６】
次に、ふとん吸口６を使用した電気掃除機１００について説明する。
図１４に示すように、ふとん吸口６は、吸口本体６ａ、回転体６ｂおよび継手６ｃを備えて構成されている。
ふとん吸口６では、継手６ｃを床面（被清掃面）側に寝かせたときに、吸口本体６ａの下面に対して、例えば、１５度といった浅い角度となるように構成されている。
これにより、ふとんをハンディ型で清掃する際に、掃除機本体１を前後に円滑に移動させることが可能になる。
また、図示は省略するが、伸縮パイプ２０を伸ばすことでスティック型にてふとんを清掃することもできる。
【０１１７】
次に、掃除機本体１に回動自在に取り付けられる回転ブラシ８０について説明する。
図１５に示すように、回転ブラシ８０は、掃除機本体１の前端に回動自在に支持される回転ベース８１ａと、この回転ベース８１ａに植設される刷毛部８１ｂとを有して構成されている。
回転ベース８１ａは、収納状態において、図２に示すように、吸込口１５の下方に回動するようになっている。
掃除機本体１をハンディ型として使用する際、回転ブラシ８０を回動させて刷毛部８１ｂを平らな清掃面に接触できるようになっている。
【０１１８】
次に、図１６に示すように、パワーブラシ式吸口体３ａを取り付けた電気掃除機１００では、スティック状態の使用にして、掃除機本体１を寝かした状態にすることで、ベッドやソファの下の床面を掃除することが可能になる。
【０１１９】
また、図１７に示すように、電気掃除機１００は、応用吸口体５を取り付けて使用することもできる。
応用吸口体５の先端は、狭い場所の清掃をすることができるように、例えば回転ブラシ８０よりも小さい形状となっている。また、ハンディ型では届かない高い場所の清掃をするために、長さが伸縮できる構成となっている。
【０１２０】
≪電気掃除機の作用効果≫
次に、本実施形態に係る電気掃除機１００の奏する作用効果について説明する。
電気掃除機１００は、掃除機本体１に対して伸縮自在に設けられる伸縮パイプ２０の伸出方向の端部に第１ハンドル３０が配置され、掃除機本体１側に伸縮パイプ２０を部分的に内包する筒部２２ａを把持部とする第２ハンドルが配置されている。
これにより、電気掃除機１００をハンディ状態で使用する際に、第１ハンドル３０を電気掃除機１００の重心Ｇａ（図２参照）に近づけることができる。また、ハンディ状態で第２ハンドル３３を使用する際にも、第２ハンドル３３は重心Ｇａ（図２参照）に近づいている。したがって、電気掃除機１００によれば、ユーザの手指に大きな負担がかかることがない。
【０１２１】
また、電気掃除機１００では、第２ハンドル３３の把持部としての筒部２２ａの下方に蓄電池６０の少なくとも一部、電動送風機４０の少なくとも一部、及び本体基板４４の少なくとも一部が位置するように、挿入口３３ａの前後方向の位置が設定されている。これにより、図２に示すように、ユーザが把持する筒部２２ａの下方付近に電気掃除機１００の重心Ｇａが位置する。よって、ユーザの手指に掛る荷重の負担が軽減される。
【０１２２】
また、電気掃除機１００においては、図３に示すように、吸込口１５の中心軸Ａｘ１は、掃除機本体１の平面視で後記する伸縮パイプ２０の中心軸Ａｘ２の前方延長上に配置されている。また、図４に示すように、吸込口１５の中心軸Ａｘ１は、掃除機本体１の側面視で、伸縮パイプ２０の中心軸Ａｘ２の下方でこの中心軸Ａｘ２と平行になるように配置されている。
したがって、この電気掃除機１００によれば、伸縮パイプ２０の後部に取り付けられる第１ハンドル３０を把持して吸込口１５を床面側に向けた際の操作性に優れる。
【０１２３】
また、図２に示すように、ユーザの手指の挿入口３３ａとなる長孔向に延びる中心軸線Ａｘ５は、掃除機本体１の吸込口１５の中心軸線Ａｘ１の後方延長線上に位置している。
したがって、この電気掃除機１００によれば、第２ハンドル３３を把持して吸込口１５を床面側に向けた際の操作性に優れる。
【０１２４】
また、電気掃除機１００がスティック型の形態で使用される場合、電気掃除機１００の重心Ｇａが手元ではなく床面側になるので、手に大きな負担をかけることなく、掃除が可能になり、使い勝手が向上する。
このように、電気掃除機１００は、ハンディ型でもスティック型でも使い易さを実現できる。
【０１２５】
また、この電気掃除機１００によれば、伸縮パイプ２０のロックアンロック装置５０を操作するトリガー３９が第１ハンドル３０を構成しているので、第１ハンドル３０を使用した伸縮パイプ２０の長さ調節が極めて簡単となる。
【０１２６】
また、この電気掃除機１００によれば、操作ボタン３１ａが第１ハンドル３０を構成するベースグリップ部３０ａの上面に配置されているので、ユーザは第１ハンドル３０を把持した側の手の指で電気掃除機１００の電気的操作を簡単に行うことができる。
【０１２７】
また、この電気掃除機１００においては、操作ボタン３１ａに連係するスイッチ基板３６が第１ハンドル３０内に配置されている。また、スイッチ基板３６は、第１ハンドル３０を構成するハンドル上半体３５の下面側に設けられたリブ３５ａに係止されているので、スイッチ基板３６の取付安定性及び信頼性に優れる。
【０１２８】
また、この電気掃除機１００においては、スイッチ基板３６がリブ３５ａを介して電気絶縁性を有する板枠部３７ｂに覆われているので、外部からの電気的影響を受けにくい。
【０１２９】
また、この電気掃除機１００においては、図６に示すように、伸縮パイプ２０（パイプ部材２１）の前端部に被係止部５１を備えている。ところで、従来の電気掃除機（例えば、特許文献１参照）では、掃除機本体の後端部にてパイプ部材を係止することで、パイプ部材の伸出長さをロックしている。しかし、従来の電気掃除機では、掃除機本体内にパイプ部材を押し込んだ際に、パイプ部材の先端が掃除機本体内でフリーとなってがたがつく。
【０１３０】
これに対して、本実施形態の電気掃除機１００では、伸縮パイプ２０（パイプ部材２１）の前端部に被係止部５１を備えているので、従来の電気掃除機と異なって伸縮パイプ２０（パイプ部材２１）の前端部が、がたつくことが防止される。
【０１３１】
また、本実施形態の電気掃除機１００では、被係止部５１は伸縮パイプ２０（パイプ部材２１）の前端部のみに配置されているとともに、係止部５２としてのピン嵌入孔３４ａは、ロックプレート３４の前後方向に沿って複数形成されている。
【０１３２】
ところで、従来の電気掃除機（例えば、特許文献１参照）では、パイプ部材の長手方向に沿って複数の被係止部（孔）が形成されている。したがって、従来の電気掃除機は、パイプ部材が掃除機本体から伸び出すと、パイプ部材の被係止部（孔）が目立つ問題がある。これに対して本実施形態の電気掃除機１００では、被係止部５１は伸縮パイプ２０（パイプ部材２１）の前端部のみに配置されているので良好な意匠性を発揮することができる。
【０１３３】
また、本実施形態の電気掃除機１００では、ピン嵌入孔３４ａ（穴）は、ピン５４の受け入れ側開口部に、呼込み径を広げる面取り形状又はＲ形状が施されている。
これにより電気掃除機１００は、ピン嵌入孔３４ａ（穴）に対するピン５４の受け入れが円滑に行われて伸縮パイプ２０（パイプ部材２１）のがたつきが防止される。
【０１３４】
以上、本発明の実施形態について説明したが、本発明は前記した実施形態に限定されるものではなく、本発明の趣旨を逸脱しない範囲において種々変更することができる。
電気掃除機１００の使用態様は、図１に示すスティック状態と図２に示すハンディ状態の２形態に限定されるものではなく、ハンディ状態とスティック状態の中間の状態で使用することができる。
【０１３５】
また、前記実施形態の電気掃除機１００は、伸縮パイプ２０が中空となっているが、中実とすることもできる。
【０１３６】
また、前記実施形態の電気掃除機１００は、係止部５２としてのピン嵌入孔３４ａが、ロックプレート３４を貫く孔で形成されているが、本実施形態での係止部５２は、有底の穴とすることもできる。
【符号の説明】
【０１３７】
１      掃除機本体
２      集塵装置
３      吸口体
１０    ケース
１１    モータケース部
１２    蓄電池ケース部
１３    パイプケース部
１４    導入管ケース部
１４    モータケース部
１５    吸込口
１７    空気導入管
２０    伸縮パイプ
２１    パイプ部材
２２    第１挿入部材
２２ａ  筒部
２３    第２挿入部材
３０    第１ハンドル
３０ａ  ベースグリップ部
３０ｂ  傾斜グリップ部
３１    操作部
３１ａ  操作ボタン
３３    第２ハンドル
３３ａ  挿入口（長孔）
３４ａ  ピン嵌入孔（穴）
３５ａ  リブ
３６    スイッチ基板
３７    基板下カバー部材
３７ａ  台座部
３７ｂ  板枠部（絶縁部材）
３９    トリガー
４０    電動送風機
４１    ファン
４４    本体基板
５０    ロックアンロック装置
５１    被係止部
５２    係止部
５３    作動部
５４    ピン
５６ａ  基部
５６ｂ  可動部
５６ｃ  スライダ部
６０    蓄電池
１００  電気掃除機
Ｇａ    重心
【図１】
0006604881.tif 000002
【図２】
0006604881.tif 000003
【図３】
0006604881.tif 000004
【図４】
0006604881.tif 000005
【図５】
0006604881.tif 000006
【図６】
0006604881.tif 000007
【図７】
0006604881.tif 000008
【図８】
0006604881.tif 000009
【図９】
0006604881.tif 000010
【図１０】
0006604881.tif 000011
【図１１】
0006604881.tif 000012
【図１２】
0006604881.tif 000013
【図１３】
0006604881.tif 000014
【図１４】
0006604881.tif 000015
【図１５】
0006604881.tif 000016
【図１６】
0006604881.tif 000017
【図１７】
0006604881.tif 000018